(57)【要約】【課題】  ストレージインタフェースとネットワーク機能を整合させたインタフェースカードの提供。【解決手段】  メディアストレージチップ、ネットワークシステム整合チップ及びハブスイッチユニットを包含し、該メディアストレージチップはメディアストレージバスを通してコンピュータマザーボードと接続され、該ハブスイッチユニットはコンピュータマザーボードの拡張スロット及び外部ネットワークに接続される。本考案は、ネットワークの伝送とメィアストレージチップの接続により遠方サーバーのメディアストレージ装置のデータにアクセスし、並びにネットワークインタフェースカードの機能を具備する。本考案のネットワークデータ伝送とメディアストレージデータ伝送は同一のネットワーク線を使用可能である。【選択図】        図３
0003116753.tif 000002
【実用新案登録請求の範囲】
【請求項１】
ストレージインタフェースとネットワーク機能を整合させたインタフェースカードにおいて、
メディアストレージバスによりコンピュータマザーボードに接続されたメディアストレージチップと、
ネットワークシステム整合チップと、
ハブスイッチとネットワーク伝送の機能を具え、拡張スロットによりコンピュータマザーボードに接続されたハブスイッチユニットと、
を包含し、そのうち、該ネットワークシステム整合チップが該メディアストレージチップと該ハブスイッチユニットの間に位置し、該メディアストレージチップと該メディアストレージバスが接続されてメディア制御／データ信号を伝送或いは受信し並びにメディアストレージ信号に変換し、該ネットワークシステム整合チップの一端が該メディアストレージチップと接続され該メディアストレージ信号を伝送或いは受信し並びにメディアストレージデータパケットに変換し、もう一端がハブスイッチユニットに接続され該メディアストレージデータパケットを伝送或いは受信し、該ハブスイッチユニットの一端がネットワークシステム整合チップからのメディアストレージデータパケットと拡張スロットからのネットワークデータ信号をメディアストレージ／ネットワークデータパケットとなしてネットワークポートとネットワークに伝送し、もう一端がネットワークポートとネットワークより伝送されたメディアストレージ／ネットワークデータパケットをネットワークシステム整合チップと拡張スロットにそれぞれ伝送することを特徴とする、ストレージインタフェースとネットワーク機能を整合させたインタフェースカード。
【請求項２】
請求項１記載のストレージインタフェースとネットワーク機能を整合させたインタフェースカードにおいて、ネットワークシステム整合チップは、システム整合チップコアユニットとネットワークブロックを包含し、
そのうち、該システム整合チップコアユニットの一端はメディアストレージチップと接続されメディアストレージ信号を伝送或いは受信し、並びにメディアストレージデータに変換し、もう一端はネットワークブロックに接続されてメディアストレージデータを伝送或いは受信し、該ネットワークブロックの一端は該システム整合チップコアユニットに接続され並びにメディアストレージデータを伝送或いは受信し並びにメディアストレージデータパケットに変換し、もう一端はハブスイッチユニットに接続されメディアストレージデータパケットを伝送或いは受信することを特徴とする、ストレージインタフェースとネットワーク機能を整合させたインタフェースカード。
【請求項３】
請求項１記載のストレージインタフェースとネットワーク機能を整合させたインタフェースカードにおいて、ネットワークシステム整合チップは、さらに、
システム整合チップコアユニットと、
データアクセスバッファの機能を具備するキャッシュブロックと、
伝送するデータ信号を暗号化或いは暗号化解除する機能を具備する暗号化ブロックと、  ネットワークブロックと、
を包含し、そのうち、システム整合チップコアユニットの一端はメディアストレージチップと接続されメディアストレージ信号を伝送或いは受信し並びにメディアストレージデータに変換し、もう一端はキャッシュブロックに接続されてメディアストレージデータを伝送或いは受信し、該キャッシュブロックはシステム整合チップコアユニットトネットワークブロックの間に位置し、一端がメディアストレージデータを伝送或いは受信し並びにメディアストレージデータを暗号化処理し、もう一端が暗号化処理したメディアストレージデータを伝送或いは受信し、該ネットワークブロックの一端が暗号化処理されたメディアストレージデータを伝送或いは受信し、並びに変換処理してメディアストレージデータパケットとなし、もう一端がハブスイッチユニットに接続されて該メディアストレージデータパケットを伝送或いは受信することを特徴とする、ストレージインタフェースとネットワーク機能を整合させたインタフェースカード。
【請求項４】
請求項１記載のストレージインタフェースとネットワーク機能を整合させたインタフェースカードにおいて、ハブスイッチユニットはスイッチハブネットワークチップとされ、それはハブスイッチとネットワーク伝送の機能を共に具備することを特徴とする、ストレージインタフェースとネットワーク機能を整合させたインタフェースカード。
【請求項５】
請求項１記載のストレージインタフェースとネットワーク機能を整合させたインタフェースカードにおいて、ハブスイッチユニットはさらに、
ハブスイッチの機能を具えたスイッチハブチップと、
拡張スロットに接続され、ネットワーク伝送の機能を具えたネットワークチップと、
を包含し、そのうち、ネットワークチップがネットワークデータ信号を受信し並びにネットワークデータパケットのフォーマットに変換し、さらにスイッチハブチップに伝送し、反対に、該スイッチハブチップの伝送シタネットワークデータパケットをネットワークデータ信号に変換して戻し、スイッチハブチップがネットワークデータパケットとメディアストレージデータパケットをネットワーク／メディアストレージデータパケットとなして伝送し、また一方で、ネットワーク／メディアストレージデータパケットを受信し並びにそれをネットワークデータパケットとメディアストレージデータパケットに分離することを特徴とする、ストレージインタフェースとネットワーク機能を整合させたインタフェースカード。
【請求項６】
請求項５記載のストレージインタフェースとネットワーク機能を整合させたインタフェースカードにおいて、スイッチハブチップがワイヤレススイッチハブチップとされ、データのワイヤレス伝送とハブスイッチの機能を具えたことを特徴とする、ストレージインタフェースとネットワーク機能を整合させたインタフェースカード。
【請求項７】
請求項１記載のストレージインタフェースとネットワーク機能を整合させたインタフェースカードにおいて、ハブスイッチユニットが更に、
データ信号のワイヤレス伝送の機能を具えたワイヤレスチップと、
ハブとスイッチの機能を具えたスイッチハブチップと、
拡張スロットに接続されて、ネットワーク伝送の機能を具えたネットワークチップと、  を包含し、そのうち、ネットワークチップがネットワークデータ信号を受信し並びにネットワークデータパケットのフォーマットに変換し、更にスイッチハブチップに伝送し、反対にがスイッチハブチップの伝送したネットワークデータパケットをネットワークデータ信号に変換して戻し、該スイッチハブチップがワイヤレスチップとネットワークチップの間に位置し、ネットワークデータパケットとメディアストレージデータパケットをネットワーク／メディアストレージデータパケットとなしてワイヤレスチップに伝送し、また一方で、ワイヤレスチップが伝送したネットワーク／メディアストレージデータパケットをネットワークデータパケットとメディアストレージデータパケットに分離し、該ワイヤレスチップはワイヤレス伝送方式で該ネットワーク／メディアストレージデータパケットを伝送或いは受信することを特徴とする、ストレージインタフェースとネットワーク機能を整合させたインタフェースカード。
【請求項８】
請求項１記載のストレージインタフェースとネットワーク機能を整合させたインタフェースカードにおいて、ネットワークシステム整合チップがマイクロプロセッサで実施されたことを特徴とする、ストレージインタフェースとネットワーク機能を整合させたインタフェースカード。
【請求項９】
請求項１記載のストレージインタフェースとネットワーク機能を整合させたインタフェースカードにおいて、メディアストレージバスがＡＴＡ、ＡＴＡＰＩ、ＳＣＳＩ、ＳＡＴＡ、ＩＥＥＥ１３９４、或いはＵＳＢのいずれかのバスとされたことを特徴とする、ストレージインタフェースとネットワーク機能を整合させたインタフェースカード。
【請求項１０】
請求項１記載のストレージインタフェースとネットワーク機能を整合させたインタフェースカードにおいて、拡張スロットがＩＳＡ、ＥＩＳＡ、ＰＣＩ、ＰＣＩ−Ｘ、或いはＰＣＩ−Ｅｘｐｒｅｓｓのいずれかの拡張スロットとされたことを特徴とする、ストレージインタフェースとネットワーク機能を整合させたインタフェースカード。
【考案の詳細な説明】
【技術分野】
【０００１】
本考案はメディアストレージ機能整合及びネットワーク伝送機能を提供するインタフェースカードに係り、とくに、メディアストレージデータ伝送とネットワークデータ伝送の機能を具備し、ネットワーク集中ストレージシステム中に応用されるインタフェースカードに関する。
【背景技術】
【０００２】
テクノロジーの飛躍的進歩に伴い、コンピュータの使用は普及し、且つソフト開発の速度はますます速まり、コンピュータ使用者の不当な操作によりシステム或いは実体ハードディスクの毀損が形成され、さらにソフトウエアのウイルス及びネットワークハッカーを防止するため、コンピュータ管理者は経常的に使用者に実体ハードディスク、ソフトウエアの更新、或いはオペレーションシステムの修復などのメンテナンス作業をうながす必要がある。インターネットのもたらした便利性及び伝送速度の進歩によりネットワークソースの共有は情報流通の重要なパイプラインとなっており、ネットワーク伝送はデスクトップ型コンピュータの基本要求となっている。企業が十分にネットワークの効率と距離境界を超える特性を生かすことができ、有効に資源の浪費を防止できれば、さらにコストダウンできる。
【０００３】
デスクトップ型コンピュータは実体ハードディスクをシステム及び設定のストレージメディアとしているため、メンテナンス時には実体ハードウエアの不便利性の制限を受ける。例えば、容量拡充が容易でなく、振動により毀損しやすく、発熱及び騒音の問題があり、サラニハファイルシステムがウイルスにより破壊されてメンテナンスの問題及びコスト面での負担を増す。ネットワーク資源の発達及び伝送効率は日々進歩しており、実体ハードウエアの不便利性に代わりネットワーク資源を有効に利用することが、コンピュータテクノロジーの努力の方向であり、並びにこれにより労働力、物力、管理コストを削減することが情報産業の一大目標となっている。
【０００４】
図１は伝統的なデスクトップ型コンピュータとメディアストレージ装置及びネットワークインタフェースカードの関係表示図である。デスクＡップ型コンピュータ１１は実体のメディアストレージ装置１３、例えばハードディスクを具え、それはコンピュータマザーボードのメディアストレージインタフェース、例えばＡＴ付属装置インタフェース（ＡＴＡ）／ＡＴ不付属装置パケットインタフェース（ＡＴＡＰＩ）を通してメディアストレージ制御及びメディアストレージデータのコンピュータマザーボードとの間の伝送或いは受信を行い、一方で、ネットワークインタフェースカード１２を通してコンピュータマザーボードの拡張スロットとネットワークパケットとデータの伝送或いは受信を行う。上述したように、このように実体ハードディスクを具えたデスクトップ型コンピュータは一般企業では末端機として使用され、このためメンテナンスシステムの良好な運転上、非常に煩瑣であり、且つ全体システムのグレードアップが非常に困難であり、システムの拡大に伴い、集中管理に必要なコストと人力もまた倍数的に増加する。
【考案の開示】
【考案が解決しようとする課題】
【０００５】
本考案はメディアストレージ機能を整合しネットワーク伝送機能を提供するインタフェースカードを提供し、それは、メディアストレージチップ、ネットワークシステム整合チップ（Ｎｅｔｗｏｒｋ  Ｓｙｓｔｅｍ  Ｏｎ  Ｃｈｉｐ）及びハブスイッチユニット（Ｈｕｂｗｉｔｈ  Ｓｗｉｔｃｈ  Ｕｎｉｔ）を包含する。メディアストレージチップはメディアストレージバスを通してコンピュータマザーボードと接続され並びに制御／データ信号を伝送或いは受信する。ネットワークシステム整合チップはメディアストレージチップとハブスイッチユニットの間に位置し、一端がメディアストレージチップに接続され並びにメディアストレージ信号を伝送或いは受信し、もう一端がハブスイッチユニットに接続され並びにメディアストレージデータパケットを伝送或いは受信する。ハブスイッチユニットはネットワークシステム整合チップ、拡張スロット（Ｅｘｔｅｎｄ  Ｓｌｏｔ）とネットワークポートに位置し、それはハブスイッチとネットワーク伝送機能を具備し、一方でネットワークシステム整合チップが伝送したメディアストレージデータパケットと拡張スロットが伝送したネットデータ信号をメディアストレージ／ベッチワークデータパケットとしてネットワークポートとネットワークに伝送し、もう一方で、ネットワークポートとネットワークの伝送したメディアストレージ／ネットワークデータパケットをネットワークシステム整合チップと拡張スロットに伝送する。
【０００６】
本考案はハブスイッチユニットを利用してメディアストレージ機能をインタフェースカード中に整合し、また遠方スｔレージデータとネットワークの機能を具え、システムとデータの集中管理とコスト節約の機能を達成する。本考案は直接一般のデスクトップ型コンピュータに応用され、並びに実体ハードウエア不要で操作でき、メディアストレージ装置はサーバーに設置され、ネットワークの伝送を通してメディアストレージデータをメディアストレージインタフェースの接続により遠方サーバのメディアストレージ装置に保存する。本考案のネットワークデータ伝送とメディアストレージデータ伝送は同一ネットワーク線を使用し、これにより現存のローカルエリアネットワークシステムが使用可能であり、新たにネットワークを架設する必要がない。
【課題を解決するための手段】
【０００７】
請求項１の考案は、ストレージインタフェースとネットワーク機能を整合させたインタフェースカードにおいて、
メディアストレージバスによりコンピュータマザーボードに接続されたメディアストレージチップと、
ネットワークシステム整合チップと、
ハブスイッチとネットワーク伝送の機能を具え、拡張スロットによりコンピュータマザーボードに接続されたハブスイッチユニットと、
を包含し、そのうち、該ネットワークシステム整合チップが該メディアストレージチップと該ハブスイッチユニットの間に位置し、該メディアストレージチップと該メディアストレージバスが接続されてメディア制御／データ信号を伝送或いは受信し並びにメディアストレージ信号に変換し、該ネットワークシステム整合チップの一端が該メディアストレージチップと接続され該メディアストレージ信号を伝送或いは受信し並びにメディアストレージデータパケットに変換し、もう一端がハブスイッチユニットに接続され該メディアストレージデータパケットを伝送或いは受信し、該ハブスイッチユニットの一端がネットワークシステム整合チップからのメディアストレージデータパケットと拡張スロットからのネットワークデータ信号をメディアストレージ／ネットワークデータパケットとなしてネットワークポートとネットワークに伝送し、もう一端がネットワークポートとネットワークより伝送されたメディアストレージ／ネットワークデータパケットをネットワークシステム整合チップと拡張スロットにそれぞれ伝送することを特徴とする、ストレージインタフェースとネットワーク機能を整合させたインタフェースカード。
請求項２の考案は、請求項１記載のストレージインタフェースとネットワーク機能を整合させたインタフェースカードにおいて、ネットワークシステム整合チップは、システム整合チップコアユニットとネットワークブロックを包含し、
そのうち、該システム整合チップコアユニットの一端はメディアストレージチップと接続されメディアストレージ信号を伝送或いは受信し、並びにメディアストレージデータに変換し、もう一端はネットワークブロックに接続されてメディアストレージデータを伝送或いは受信し、該ネットワークブロックの一端は該システム整合チップコアユニットに接続され並びにメディアストレージデータを伝送或いは受信し並びにメディアストレージデータパケットに変換し、もう一端はハブスイッチユニットに接続されメディアストレージデータパケットを伝送或いは受信することを特徴とする、ストレージインタフェースとネットワーク機能を整合させたインタフェースカード。
請求項３の考案は、請求項１記載のストレージインタフェースとネットワーク機能を整合させたインタフェースカードにおいて、ネットワークシステム整合チップは、さらに、  システム整合チップコアユニットと、
データアクセスバッファの機能を具備するキャッシュブロックと、
伝送するデータ信号を暗号化或いは暗号化解除する機能を具備する暗号化ブロックと、  ネットワークブロックと、
を包含し、そのうち、システム整合チップコアユニットの一端はメディアストレージチップと接続されメディアストレージ信号を伝送或いは受信し並びにメディアストレージデータに変換し、もう一端はキャッシュブロックに接続されてメディアストレージデータを伝送或いは受信し、該キャッシュブロックはシステム整合チップコアユニットトネットワークブロックの間に位置し、一端がメディアストレージデータを伝送或いは受信し並びにメディアストレージデータを暗号化処理し、もう一端が暗号化処理したメディアストレージデータを伝送或いは受信し、該ネットワークブロックの一端が暗号化処理されたメディアストレージデータを伝送或いは受信し、並びに変換処理してメディアストレージデータパケットとなし、もう一端がハブスイッチユニットに接続されて該メディアストレージデータパケットを伝送或いは受信することを特徴とする、ストレージインタフェースとネットワーク機能を整合させたインタフェースカード。
請求項４の考案は、請求項１記載のストレージインタフェースとネットワーク機能を整合させたインタフェースカードにおいて、ハブスイッチユニットはスイッチハブネットワークチップとされ、それはハブスイッチとネットワーク伝送の機能を共に具備することを特徴とする、ストレージインタフェースとネットワーク機能を整合させたインタフェースカード。
請求項５の考案は、請求項１記載のストレージインタフェースとネットワーク機能を整合させたインタフェースカードにおいて、ハブスイッチユニットはさらに、
ハブスイッチの機能を具えたスイッチハブチップと、
拡張スロットに接続され、ネットワーク伝送の機能を具えたネットワークチップと、
を包含し、そのうち、ネットワークチップがネットワークデータ信号を受信し並びにネットワークデータパケットのフォーマットに変換し、さらにスイッチハブチップに伝送し、反対に、該スイッチハブチップの伝送シタネットワークデータパケットをネットワークデータ信号に変換して戻し、スイッチハブチップがネットワークデータパケットとメディアストレージデータパケットをネットワーク／メディアストレージデータパケットとなして伝送し、また一方で、ネットワーク／メディアストレージデータパケットを受信し並びにそれをネットワークデータパケットとメディアストレージデータパケットに分離することを特徴とする、ストレージインタフェースとネットワーク機能を整合させたインタフェースカード。
請求項６の考案は、請求項５記載のストレージインタフェースとネットワーク機能を整合させたインタフェースカードにおいて、スイッチハブチップがワイヤレススイッチハブチップとされ、データのワイヤレス伝送とハブスイッチの機能を具えたことを特徴とする、ストレージインタフェースとネットワーク機能を整合させたインタフェースカード。
請求項７の考案は、請求項１記載のストレージインタフェースとネットワーク機能を整合させたインタフェースカードにおいて、ハブスイッチユニットが更に、
データ信号のワイヤレス伝送の機能を具えたワイヤレスチップと、
ハブとスイッチの機能を具えたスイッチハブチップと、
拡張スロットに接続されて、ネットワーク伝送の機能を具えたネットワークチップと、  を包含し、そのうち、ネットワークチップがネットワークデータ信号を受信し並びにネットワークデータパケットのフォーマットに変換し、更にスイッチハブチップに伝送し、反対にがスイッチハブチップの伝送したネットワークデータパケットをネットワークデータ信号に変換して戻し、該スイッチハブチップがワイヤレスチップとネットワークチップの間に位置し、ネットワークデータパケットとメディアストレージデータパケットをネットワーク／メディアストレージデータパケットとなしてワイヤレスチップに伝送し、また一方で、ワイヤレスチップが伝送したネットワーク／メディアストレージデータパケットをネットワークデータパケットとメディアストレージデータパケットに分離し、該ワイヤレスチップはワイヤレス伝送方式で該ネットワーク／メディアストレージデータパケットを伝送或いは受信することを特徴とする、ストレージインタフェースとネットワーク機能を整合させたインタフェースカード。
請求項８の考案は、請求項１記載のストレージインタフェースとネットワーク機能を整合させたインタフェースカードにおいて、ネットワークシステム整合チップがマイクロプロセッサで実施されたことを特徴とする、ストレージインタフェースとネットワーク機能を整合させたインタフェースカード。
請求項９の考案は、請求項１記載のストレージインタフェースとネットワーク機能を整合させたインタフェースカードにおいて、メディアストレージバスがＡＴＡ、ＡＴＡＰＩ、ＳＣＳＩ、ＳＡＴＡ、ＩＥＥＥ１３９４、或いはＵＳＢのいずれかのバスとされたことを特徴とする、ストレージインタフェースとネットワーク機能を整合させたインタフェースカード。
請求項１０の考案は、請求項１記載のストレージインタフェースとネットワーク機能を整合させたインタフェースカードにおいて、拡張スロットがＩＳＡ、ＥＩＳＡ、ＰＣＩ、ＰＣＩ−Ｘ、或いはＰＣＩ−Ｅｘｐｒｅｓｓのいずれかの拡張スロットとされたことを特徴とする、ストレージインタフェースとネットワーク機能を整合させたインタフェースカード。
【考案の効果】
【０００８】
本考案はメディアストレージチップ、ネットワークシステム整合チップ及びハブスイッチユニットを包含し、該メディアストレージチップはメディアストレージバスを通してコンピュータマザーボードと接続され、該ハブスイッチユニットはコンピュータマザーボードの拡張スロット及び外部ネットワークに接続される。本考案は、ネットワークの伝送とメィアストレージチップの接続により遠方サーバーのメディアストレージ装置のデータにアクセスし、並びにネットワークインタフェースカードの機能を具備する。本考案のネットワークデータ伝送とメディアストレージデータ伝送は同一のネットワーク線を使用可能である。
【考案を実施するための最良の形態】
【０００９】
図２は本考案とデスクトップ型コンピュータの関係表示図である。デスクトップ型コンピュータ１１は本考案のメディアストレージ機能とネットワーク伝送機能を整合させたインタフェースカード２４を通して遠方サーバーのメディアストレージ装置とインターネットの伝送するメディアストレージ／ネットワークデータパケットを受信し、及び、メディアストレージ／ネットワークデータパケットを遠方サーバーのメディアストレージ装置とインターネットに保存する。
【００１０】
図３は本考案及び周辺ユニットの接続構造表示図である。本考案はメディアストレージチップ３１、ネットワークシステム整合チップ３２、及びハブスイッチユニット３３を包含する。メディアストレージチップ３１はメディアストレージバス３４を通してコンピュータマザーボードと接続され、並びにメディア制御／データ信号を伝送或いは受信する。ネットワークシステム整合チップ３２はメディアストレージチップ３１とハブスイッチユニット３３の間に位置する。メディアストレージチップ３１は制御／データ信号をメディアストレージ信号に変換してネットワークシステム整合チップ３２に伝送するか、ネットワークシステム整合チップ３２からのメディアストレージ信号を受信し、さらに制御／データ信号に変換してメディアストレージバス３４に送る。ネットワークシステム整合チップ３２はメディアストレージ信号を処理後に、メディアストレージデータパケットをハブスイッチユニット３３に送るか、ハブスイッチユニット３３が伝送したメディアストレージデータパケットを、処理後にメディアストレージ信号をメディアストレージチップ３１に送る。ハブスイッチユニット３３はハブスイッチの機能を具備し、一方でネットワークポート３６を通し、ネットワークシステム整合チップ３２の伝送したメディアストレージデータパケットをネットワークに送り、また一方で拡張スロット３５の伝送したネットワークデータ信号をネットワークデータパケットに変換し、ネットワークポート３６を通してネットワークに送る。反対に、ネットワークとネットワークポート３６を通して伝送されてきたメディアストレージデータ／ネットワークデータパケットはハブスイッチユニット３３によりメディアストレージデータパケットとネットワークデータ信号に分けられ、メディア保存データパケットはネットワークシステム整合チップ３２に送られ、ネットワークデータ信号は拡張スロット３５に送られる。
【００１１】
このほか、ネットワークシステム整合チップ３２はＡＲＭ７（Ｓａｍｓｕｎｇ（登録商標）  Ｓ３Ｃ４５１０Ｂ）、ＡＲＭ９（Ｓａｍｓｕｎｇ（登録商標）  Ｓ３Ｃ２５１０Ａ）、ＡＲＭ１０、Ｂｒｏａｄｃｏｍ（登録商標）（ＢＣＭ  １１２Ｘシリーズ或いはＢＣＭ  １２５０）、Ｉｎｔｅｌ（登録商標）（ＩＸＰシリーズ或いはＩＯＰシリーズ）、ＲＤＣ（登録商標）（ＲＤＣ  １６２０Ｃ或いはＲＤＣ２０２０Ｃ）、或いはＭｏｔｏｒｏｌａ（登録商標）（ＭＰＣ８２７２シリーズ）とＲｅａｌｔｅｋ（登録商標）（ＲＴ
１８１）等のマイクロプロセッサにより実施される。メディアストレージバス３４はＡＴＡ、ＡＴＡＰＩ、小型コンピュータシステムインタフェース（ＳＣＳＩ）、シリアルＡＴ付属装置インタアフェース（ＳＡＴＡ）、ＩＥＥＥ１３９４とＵＳＢ等のインタフェース技術により実施され、拡張スロットはＩＳＡ、ＥＩＳＡ（Ｅｘｔｅｎｄ  Ｉｎｄｕｓｔｒｙ  Ｓｔａｎｄａｒｄ  Ａｒｃｈｉｔｇｅｃｔｕｒｅ  Ｅｘｐａｎｓｉｏｎ  Ｂｕｓ）、ＰＣＩ（Ｐｅｒｉｐｈｅｒａｌ  Ｃｏｍｐｏｎｅｎｔ  Ｉｎｔｅｒｃｏｎｎｅｃｔ  Ｂｕｓ）、ＰＣＩ−Ｘ（ＰＣＩ  ｅＸｔｅｎｄｅｄ  Ｂｕｓ）とＰＣＩ−Ｅｘｐｒｅｓｓ（ＰＣＩ  Ｅｘｐｒｅｓｓ  Ｂｕｓ）等のバス技術により実施される。
【００１２】
図４はネットワークシステム整合チップの実施例表示図である。一種のネットワークシステム整合チップ３２の実施例の構造は、システム整合チップコアユニット４１、キャッシュブロック（Ｃａｃｈｅ  Ｂｌｏｃｋ）４２、暗号化ブロック（Ｓｅｃｕｒｉｔｙ  Ｂｌｏｃｋ）４３とネットワークブロック４４を包含する。そのうちキャッシュブロック４２と暗号化ブロック４３は伝送速度を補助し伝送の安全性を増し、必要により増減可能である。システム整合チップコアユニット４１の一端はメディアストレージチップ３１に接続され、並びにメディアストレージ信号を伝送或いは受信し、もう一端はキャッシュブロック４２に接続され、メディアストレージ信号をメディアストレージデータに変換し、並びにメディアストレージデータを伝送或いは変換する。キャッシュブロック４２はシステム整合チップコアユニット４１と暗号化ブロック４３の間に位置し、データ信号伝送バッファとデータ伝送性能アップの機能を有し、一端はシステム整合チップコアユニット４１に接続され、もう一端は暗号化ブロック４３に接続される。暗号化ブロック４３はキャッシュブロック４２とネットワークシステム整合チップ３２の間に位置し、データ信号の暗号化機能を具えデータ伝送の安全性を高め、一端はキャッシュブロック４２に接続され並びにメディアストレージデータを伝送或いは受信し、もう一端はネットワークブロック４４に接続され並びに暗号化後のメディアストレージデータを伝送或いは受信する。ネットワークブロック４４は暗号化ブロック４３の伝送した暗号化後のメディアストレージデータを受信し、ならびにんそれをメディアストレージデータパケットのフォーマットに変換して伝送し、同様に、ハブスイッチユニット３３の伝送したメディアストレージデータパケットを受信し、それをメディアストレージデータのフォーマットに変換して暗号化ブロック４３に伝送する。
【００１３】
図５から図８はそれぞれハブスイッチユニットの第１実施例から第４実施例の構造表示図である。図５はハブスイッチユニットの第１実施例の構造を説明し、スイッチハブネットワークチップ５１がネットワークデータ信号をネットワークデータパケットとメディアストレージデータパケットに変換してネットワーク／メディアストレージデータパケットとして伝送する。反対に、スイッチハブネットワークチップ５１はネットワーク／メディアストレージデータパケットを受取り、並びにそれをネットワークデータ信号とメディアストレージデータパケットに分離する。スイッチハブネットワークチップ５１はまたハブスイッチとネットワーク伝送の機能を具備する。
【００１４】
図６はハブスイッチユニットの第２実施例の構造を示し、それはスイッチハブチップ５２とネットワークチップ５３を包含する。ネットワークチップ５３はネットワークデータ信号をネットワークデータパケットのフォーマットに変換し、さらにスイッチハブチップ５２に伝送する。反対に、スイッチハブチップ５２の伝送したネットワークデータパケットを受信し、並びにネットワークデータ信号に変換して戻す。スイッチハブチップ５２はハブスイッチの機能を具備し、ネットワークデータパケットとメディアストレージデータパケットをネットワーク／メディアストレージデータパケットとなして伝送し、また一方で、ネットワーク／メディアストレージデータパケットを受信しそれをネットワークデータパケットとメディアストレージデータパケットに分離する。
【００１５】
図７はハブスイッチユニットの第３実施例の構造を説明する。それはワイヤレススイッチハブチップ５４とネットワークチップ５３を包含する。ネットワークチップ５３はネットワークデータ信号をネットワークデータパケットのフォーマットに変換し、さらにワイヤレススイッチハブチップ５４に伝送する。反対にワイヤレススイッチハブチップ５４の伝送したネットワークデータパケットをネットワークデータ信号に戻す。ワイヤレススイッチハブチップ５４はハブスイッチとワイヤレス伝送の機能を具備し、ネットワークデータパケットとメディアストレージデータパケットをネットワーク／メディアストレージデータパケットとなし、並びにワイヤレス方式で伝送する。また一方で、ワイヤレス方式で伝送されたネットワーク／メディアストレージデータパケットを受信し、ネットワークデータパケットとメディアストレージデータパケットに分離する。
【００１６】
図８はハブスイッチユニットの第４実施例の構造を説明する。それはワイヤレスチップ５５とスイッチハブチップ５２とネットワークチップ５３を包含する。ネットワークチップ５３はネットワークデータ信号をネットワークデータパケットのフォーマットに変換し、さらにスイッチハブチップ５２に伝送する。汎愛い、スイッチハブチップ５２んほ伝送したネットワークデータパケットを受信し、並びにネットワークデータ信号に戻す。スイッチハブチップ５２はワイヤレスチップ５５とネットワークチップ５３の間に位置し、ハブスイッチの機能を具え、ネットワークデータパケットとメディアストレージデータパケットをネットワーク／メディアストレージデータパケットとなしてワイヤレスチップ５５に伝送する。一方で、同時にワイヤレスチップ５５の送ったネットワーク／メディアストレージデータパケットを受信し、それをネットワークデータパケットとメディアストレージデータパケットに分離する。ワイヤレスチップ５５はワイヤレス方式でネットワーク／メディアストレージデータパケットを伝送或いは受信する。
【図面の簡単な説明】
【００１７】
【図１】伝統的なデスクトップ型コンピュータとメディアストレージ装置及びネットワークインタフェースカードの関係表示図である。
【図２】本考案とデスクトップ型コンピュータの関係表示図である。
【図３】本考案及び周辺ユニットの接続構造表示図である。
【図４】本考案のネットワークシステム整合チップの実施例表示図である。
【図５】本考案のハブスイッチユニットの第１実施例の構造表示図である。
【図６】本考案のハブスイッチユニットの第２実施例の構造表示図である。
【図７】本考案のハブスイッチユニットの第３実施例の構造表示図である。
【図８】本考案のハブスイッチユニットの第４実施例の構造表示図である。
【符号の説明】
【００１８】
１１  デスクトップ型コンピュータ
１２  ネットワークインタフェースカード
１３  メディアストレージ装置
２４  インタフェースカード
３１  メディアストレージチップ
３２  ネットワークシステム整合チップ
３３  ハブスイッチユニット
３４  メディアストレージバス
３５  拡張スロット
３６  ネットワークポート
４１  システム整合チップコアユニット
４２  キャッシュブロック
４３  暗号化ブロック
４４  ネットワークブロック
５１  スイッチハブネットワークチップ
５２  スイッチハブチップ
５３  ネットワークチップ
５４  ワイヤレススイッチハブチップ
５５  ワイヤレスチップ
【図１】
0003116753.tif 000003
【図２】
0003116753.tif 000004
【図３】
0003116753.tif 000005
【図４】
0003116753.tif 000006
【図５】
0003116753.tif 000007
【図６】
0003116753.tif 000008
【図７】
0003116753.tif 000009
【図８】
0003116753.tif 000010